(57)【特許請求の範囲】
【請求項１】
ポリスチレン系樹脂粒子１００重量部に、０．１〜２．０重量部の第１の帯電防止剤の存在下で、揮発性発泡剤を含浸させて発泡性樹脂粒子を得る工程、
前記発泡性樹脂粒子１００重量部を、消泡剤の存在下で、０．１〜２．０重量部の第２の帯電防止剤と接触させた後、予備発泡させて予備発泡粒子を得る工程を含み、
前記第２の帯電防止剤と前記消泡剤とが、１：０．０４〜１．５０の重量比で使用され、
前記第１の帯電防止剤が、非イオン系界面活性剤であり、前記第２の帯電防止剤が、カチオン系界面活性剤であり、
前記消泡剤が、ポリオキシアルキレングリコール又はポリオキシアルキレンアルキルエーテルである予備発泡粒子の製造方法。
【請求項２】
前記発泡性樹脂粒子を得る工程が、
（１）密閉耐圧容器内で前記ポリスチレン系樹脂粒子と前記第１の帯電防止剤を流動させるか、又は
（２）密閉耐圧容器内で前記ポリスチレン系樹脂粒子と前記第１の帯電防止剤を水性媒体に懸濁させ、
次いで流動又は懸濁させたポリスチレン系樹脂粒子に前記揮発性発泡剤を含浸させる工程である請求項１に記載の予備発泡粒子の製造方法。
【請求項３】
前記予備発泡粒子を得る工程が、前記発泡性樹脂粒子を、前記消泡剤の存在下で、液状の前記第２の帯電防止剤又は前記第２の帯電防止剤の溶液と接触させた後、予備発泡させる工程である請求項１又は２に記載の予備発泡粒子の製造方法。
【請求項４】
前記揮発性発泡剤が、プロパン、ｎ−ブタン、イソブタン、ｎ−ペンタン、イソペンタン及びシクロペンタンから選択される請求項１〜３のいずれか１つに記載の予備発泡粒子の製造方法。
【請求項５】
前記揮発性発泡剤が、前記発泡性樹脂粒子中に、６〜１２重量％の割合で含まれる請求項１〜４のいずれか１つに記載の予備発泡粒子の製造方法。
【請求項６】
前記ポリスチレン系樹脂粒子が、ポリオレフィン系樹脂１００重量部とポリスチレン系樹脂１２０〜５６０重量部との複合樹脂粒子である請求項１〜５のいずれか１つに記載の予備発泡粒子の製造方法。
【請求項７】
請求項１〜６のいずれか１つに記載の方法により得られた予備発泡粒子。
【請求項８】
請求項７に記載の予備発泡粒子を型内成形した発泡成形体。
【発明の詳細な説明】
【技術分野】
【０００１】
本発明は、予備発泡粒子、その製造方法及び発泡成形体に関する。更に詳しくは、本発明は、良好な帯電防止性を有する予備発泡粒子、その製造方法及び発泡成形体に関する。
【背景技術】
【０００２】
ポリスチレン系樹脂粒子にプロパン、ブタン、ペンタン等の揮発性発泡剤を含浸させることにより発泡性能が付与された発泡性ポリスチレン系樹脂粒子が得られる。発泡性ポリスチレン系樹脂粒子は、発泡剤の保持性が良好であり、室温もしくは冷蔵状態で保管できる。従って、適時に発泡性ポリスチレン系樹脂粒子を加熱して予備発泡粒子とし、これを成形機の金型内に充填して加熱して発泡成形体とすることができる。この発泡成形体は、断熱性、緩衝性及び軽量性に優れていることから、魚箱等の食品容器、家電製品等の緩衝材、建材用断熱材等として広く用いられている。
しかしながら、ポリスチレン系樹脂からなる発泡成形体は、電気絶縁性が高いゆえに、摩擦によって容易に帯電するため、その外観は、ほこりの付着によって見劣りするという問題があった。また、発泡成形体からなる包装材は、包装された内容物に集塵による汚染や静電破壊を生じさせるという問題があった。【０００３】
国際公開番号ＷＯ２００４／０９００２９号のパンフレット（特許文献１）には、帯電防止性スチレン系樹脂発泡成形体を得る方法が記載されている。具体的には、スチレン改質オレフィン系樹脂粒子に揮発性発泡剤を含浸させて発泡性樹脂粒子を得る。この後、発泡性樹脂粒子１００重量部に対して界面活性剤０．１〜２．０重量部を含浸することで、帯電防止性に優れた発泡性スチレン系樹脂粒子を得ている。この粒子から帯電防止性スチレン系樹脂発泡成形体が得られている。
【先行技術文献】
【特許文献】
【０００４】
【特許文献１】国際公開番号ＷＯ２００４／０９００２９号のパンフレット
【発明の概要】
【発明が解決しようとする課題】
【０００５】
上記方法では、帯電防止剤を、発泡剤の含浸時に樹脂粒子に含浸させている。
上記方法による発泡性樹脂粒子でも帯電防止性の十分な発泡成形体を得ることができる。しかし、例えば、電子部品の梱包材等の用途では、更なる帯電防止性の改善、特に１つの発泡成形体中の複数の部位の帯電防止性のばらつきを抑制することが望まれていた。また、上記方法を高倍の発泡体に用いると、良好な帯電防止性能を得にくいという問題があった。
【課題を解決するための手段】
【０００６】
かくして本発明によれば、ポリスチレン系樹脂粒子１００重量部に、０．１〜２．０重量部の第１の帯電防止剤の存在下で、揮発性発泡剤を含浸させて発泡性樹脂粒子を得る工程、
前記発泡性樹脂粒子１００重量部を、消泡剤の存在下で、０．１〜２．０重量部の第２の帯電防止剤と接触させた後、予備発泡させて予備発泡粒子を得る工程を含み、
前記第２の帯電防止剤と前記消泡剤とが、１：０．０４〜１．５０の重量比で使用され、
前記第１の帯電防止剤が、非イオン系界面活性剤であり、前記第２の帯電防止剤が、カチオン系界面活性剤であり、
前記消泡剤が、ポリオキシアルキレングリコール又はポリオキシアルキレンアルキルエーテルである予備発泡粒子の製造方法が提供される。
また、本発明によれば、上記方法により得られた予備発泡粒子が提供される。
更に、本発明によれば、上記予備発泡粒子を型内成形した発泡成形体が提供される。
【発明の効果】
【０００７】
本発明により得られた予備発泡粒子は、従来の１回の帯電防止剤との接触により製造された予備発泡粒子より、良好な帯電防止性を持続できる。また、本発明は、従来泡立ちにより使用ができなかった帯電防止剤を使用できる。更に、本発明によれば、従来の予備発泡粒子より改善された帯電防止性を与える発泡成形体を得ることができ、高倍の発泡体でも良好な帯電防止性を持続できる。
第１の帯電防止剤が、非イオン系界面活性剤であり、第２の帯電防止剤が、カチオン系界面活性剤である場合、更に良好な帯電防止性を有する発泡成形体を得ることができる。
消泡剤が、ポリオキシアルキレングリコール又はポリオキシアルキレンアルキルエーテルである場合、第２の帯電防止剤の使用による泡立ちを抑制できると共に、更に良好な帯電防止性を有する発泡成形体を得ることができる。
発泡性樹脂粒子を得る工程が、
（１）密閉耐圧容器内でポリスチレン系樹脂粒子と第１の帯電防止剤を流動させるか、又は
（２）密閉耐圧容器内でポリスチレン系樹脂粒子と第１の帯電防止剤を水性媒体に懸濁させ、
次いで流動又は懸濁させたポリスチレン系樹脂粒子に揮発性発泡剤を含浸させる工程である場合、更に良好な帯電防止性を有する発泡成形体を得ることができる。
予備発泡粒子を得る工程が、発泡性樹脂粒子を、消泡剤の存在下で、液状の第２の帯電防止剤又は第２の帯電防止剤の溶液と接触させた後、予備発泡させる工程である場合、更に良好な帯電防止性を有する発泡成形体を得ることができる。
揮発性発泡剤が、プロパン、ｎ−ブタン、イソブタン、ｎ−ペンタン、イソペンタン及びシクロペンタンから選択される場合、更に良好な帯電防止性を有する発泡成形体を得ることができる。
揮発性発泡剤が、発泡性樹脂粒子中に、６〜１２重量％の割合で含まれる場合、更に良好な帯電防止性を有する発泡成形体を得ることができる。
ポリスチレン系樹脂粒子が、ポリオレフィン系樹脂１００重量部と、ポリスチレン系樹脂１２０〜５６０重量部との複合樹脂粒子からなる場合、更に良好な帯電防止性を有する発泡成形体を得ることができる。
【発明を実施するための形態】
【０００８】
本発明は、要するに、発泡性樹脂粒子の製造工程及び予備発泡粒子の製造工程の両方において、両粒子に帯電防止剤を接触させることにより予備発泡粒子を製造する方法である。本発明は、後者の製造工程で帯電防止剤に由来する泡立ちを消泡剤で防止する方法でもある。なお、発明者等は帯電防止剤の接触により、両粒子中に帯電防止剤が含浸されると考えている。
本発明では、発泡性樹脂粒子の製造工程で第１の帯電防止剤が、予備発泡粒子の製造工程で第２の帯電防止剤と消泡剤が使用される。第１の帯電防止剤、第２の帯電防止剤及び消泡剤は、下記するが種々の剤を使用でき、所望の帯電防止性能に応じて使用する剤を適宜組み合わせることができる。例えば、第１の帯電防止剤及び第２の帯電防止剤の限定されない一例として、非イオン系界面活性剤、アニオン系界面活性剤、カチオン系界面活性剤及び両性界面活性剤が挙げられ、消泡剤の限定されない一例として非イオン系界面活性剤が挙げられる。ここで、第２の帯電防止剤と消泡剤の両方に非イオン系界面活性剤が例示されているが、前者は帯電防止性に優れた剤が選択され、後者は消泡性に優れた剤が選択されるため、両者に同じ剤が使用されることはない。
【０００９】
以下、本発明を工程順に説明する。
（１）まず、ポリスチレン系樹脂粒子に、特定量の第１の帯電防止剤の存在下で、揮発性発泡剤を含浸させて発泡性樹脂粒子を得る。
本発明におけるポリスチレン系樹脂粒子としては、ポリスチレン、ポリメチルスチレン、スチレン−アクリロニトリル共重合体、スチレン−アクリロニトリルブタジエン共重合体、スチレン−アクリル酸エステル共重合体、スチレン−メタクリル酸メチル共重合体、ポリスチレンとポリエチレンもしくはポリプロピレンの架橋樹脂等からなる粒子が挙げられる。これらの樹脂は混合されていてもよく、ポリスチレン系樹脂以外の他の樹脂を混合してもよい。他の樹脂としてはポリエチレン、ポリプロピレン等のポリオレフィン系樹脂等が挙げられる。それらの中でも、ポリオレフィン系樹脂とポリスチレン系樹脂との混合樹脂（複合樹脂）が好ましく、ポリエチレン系樹脂とポリスチレン系樹脂との複合樹脂がより好ましい。
【００１０】
スチレン系樹脂粒子の製造方法は、特に限定されず、公知の方法をいずれも使用できる。例えば、懸濁重合法、シード重合法等が挙げられる。シード重合法は、種粒子にスチレン系モノマーを水性媒体中で含浸させて、重合させることでスチレン系樹脂粒子を得る方法である。
ここで、複合樹脂粒子は、ポリオレフィン系樹脂粒子が分散保持された水性媒体中にスチレン系モノマーを加えて重合させることで得られる。複合樹脂粒子の製造方法を以下で説明する。
【００１１】
ポリオレフィン系樹脂粒子は、公知の方法で得ることができる。例えば、まず、押出機を使用してポリオレフィン系樹脂を溶融押出した後、水中カット、ストランドカット等により造粒することで、ポリオレフィン系樹脂粒子を作製できる。通常、使用するポリオレフィン系樹脂の形状は、例えば、真球状、楕円球状（卵状）、円柱状、角柱状、ペレット状又はグラニュラー状である。以下では、ポリオレフィン系樹脂粒子をマイクロペレットとも記す。
【００１２】
ポリオレフィン系樹脂には、ラジカル捕捉剤が含まれていてもよい。ラジカル捕捉剤は、予めポリオレフィン系樹脂に添加しておくか、もしくは溶融押出と同時に添加してもよい。ラジカル捕捉剤としては、重合禁止剤（重合抑制剤を含む）、連鎖移動剤、酸化防止剤、ヒンダードアミン系光安定剤等のラジカルを捕捉する作用を有する化合物で、水に溶解し難いものが好ましい。
【００１３】
重合禁止剤としては、ｔ−ブチルハイドロキノン、パラメトキシフェノール、２，４−ジニトロフェノール、ｔ−ブチルカテコール、ｓｅｃ−プロピルカテコール、Ｎ−メチル−Ｎ−ニトロソアニリン、Ｎ−ニトロソフェニルヒドロキシルアミン、トリフェニルフォスファイト、トリス（ノニルフェニルフォスファイト）、トリエチルフォスファイト、トリス（２−エチルヘキシル）フォスファイト、トリデシルフォスファイト、トリス（トリデシル）フォスファイト、ジフェニルモノ（２−エチルヘキシル）フォスファイト、ジフェニルモノデシルフォスファイト、ジフェニルモノ（トリデシル）フォスファイト、ジラウリルハイドロゲンフォスファイト、テトラフェニルジプロピレングリコールジフォスファイト、テトラフェニルテトラ（トリデシル）ペンタエリスリトールテトラフォスファイト等のフェノール系重合禁止剤、ニトロソ系重合禁止剤、芳香族アミン系重合禁止剤、亜リン酸エステル系重合禁止剤、チオエーテル系重合禁止剤等が例示される。
また、連鎖移動剤としては、β−メルカプトプロピオン酸２−エチルヘキシルエステル、ジペンタエリスリトールヘキサキス（３−メルカプトプロピオネート）、トリス［（３−メルカプトプロピオニロキシ）−エチル］イソシアヌレート等が例示される。
【００１４】
酸化防止剤としては、２，６−ジ−ｔ−ブチル−４−メチルフェノール（ＢＨＴ）、ｎ−オクタデシル−３−（３，５−ジ−ｔ−ブチル−４−ヒドロキシフェニル）プロピオネート、ペンタエリスリチル−テトラキス〔３−（３，５−ジ−ｔ−ブチル−４−ヒドロキシフェニル）プロピオネート〕、１，３，５−トリス（３，５−ジ−ｔｅｒｔ−ブチル−４−ヒドロキシベンジル）イソシアヌレート、１，３，５−トリメチル−２，４、６−トリス（３，５−ジ−ｔ−ブチル−４−ヒドロキシベンジル）ベンゼン、３，９−ビス〔２−｛３−（３−ｔ−ブチル−４−ヒドロキシ−５−メチルフェニル）プロピオニルオキシ｝−１，１−ジメチルエチル〕−２，４，８，１０−テトラオキサスピロ〔５・５〕ウンデカン、ジステアリルペンタエリスリトールジフォスファイト、トリス（２，４−ジ−ｔ−ブチルフェニル）フォスファイト、ビス（２，４−ジ−ｔ−ブチルフェニル）ペンタエリスリトールジフォスファイト、テトラキス（２，４−ジ−ｔ−ブチルフェニル）４，４’−ビフェニレンジフォスフォナイト、ビス（２−ｔ−ブチル−４−メチルフェニル）ペンタエリスリトールジフォスファイト、２，４，８，１０−テトラ−ｔ−ブチル−６−［３−（３−メチル−４−ヒドロキシ−５−ｔ−ブチルフェニル）プロポキシ］ジベンゾ［ｄ，ｆ］［１，３，２］ジオキサホスフェピン、フェニル−１−ナフチルアミン、オクチル化ジフェニルアミン、４，４−ビス（α，α−ジメチルベンジル）ジフェニルアミン、Ｎ，Ｎ’−ジ−２−ナフチル−ｐ−フェニレンジアミン等のフェノール系酸化防止剤、リン系酸化防止剤、アミン系酸化防止剤等が例示できる。
【００１５】
ヒンダードアミン系光安定剤としては、ビス（２，２，６，６−テトラメチル−４−ピペリジル）セバケート、ビス（１，２，２，６，６−ペンタメチル−４−ピペリジル）セバケート、ビス（１，２，２，６，６−ペンタメチル−４−ピペリジル）−２−（３，５−ジ−ｔ−ブチル−４−ヒドロキシベンジル）−２−ｎ−ブチルマロネート等が例示できる。
ラジカル捕捉剤の使用量としては、ポリオレフィン系樹脂１００重量部に対して０．００５〜０．５重量部であることが好ましい。
【００１６】
ポリオレフィン系樹脂は、他に、タルク、珪酸カルシウム、ステアリン酸カルシウム、合成あるいは天然に産出される二酸化ケイ素、エチレンビスステアリン酸アミド、メタクリル酸エステル系共重合体等の気泡調整剤、トリアリルイソシアヌレート６臭素化物等の難燃剤、カーボンブラック、酸化鉄、グラファイト等の着色剤等を含んでいてもよい。
【００１７】
次に、マイクロペレットを重合容器内の水性媒体中に分散させ、スチレン系モノマーをマイクロペレットに含浸させながら重合させる。
水性媒体としては、水、水と水溶性溶媒（例えば、アルコール）との混合媒体が挙げられる。スチレン系モノマーには、トルエン、キシレン、シクロヘキサン、酢酸エチル、ジイソブチルアジペート等の溶剤（可塑剤）を添加してもよい。
好ましいスチレン系モノマーの使用量は、ポリオレフィン系樹脂粒子１００重量部に対して１２０〜５６０重量部である。より好ましくは１４０〜４５０重量部、更に好ましくは１５０〜４００重量部である。
【００１８】
スチレン系モノマーの使用量が５６０重量部を超えると、ポリオレフィン系樹脂粒子に含浸されずに、ポリスチレン系樹脂単独の粒子が発生することがある。加えて、発泡成形体の耐割れ性が低下するだけでなく、耐薬品性も低下することがある。一方、１２０重量部未満であると、発泡性複合樹脂粒子の発泡剤を保持する能力が低下する場合がある。低下すると、高発泡化が困難となる。また、発泡成形体の剛性も低下することがある。
【００１９】
ポリオレフィン系樹脂粒子へのスチレン系モノマーの含浸は、重合させつつ行ってもよく、重合を開始する前に行ってもよい。この内、重合させつつ行うことが好ましい。なお、含浸させた後に重合を行う場合、ポリオレフィン系樹脂粒子の表面近傍でのスチレン系モノマーの重合が起こり易い。また、この場合、ポリオレフィン系樹脂粒子中に含浸されなかったスチレン系モノマーが単独で重合して、多量の微粒子状のポリスチレン系樹脂粒子が生成することがある。
【００２０】
重合させつつ含浸を行う場合、上記含有量を算出する場合のポリオレフィン系樹脂粒子とは、ポリオレフィン系樹脂と含浸されたスチレン系モノマー、更に含浸されて既に重合したポリスチレン系樹脂とから構成された粒子を意味する。
含有割合を０〜３５重量％に維持するために、スチレン系モノマーを重合容器内の水性媒体に連続的にあるいは断続的に添加できる。特に、スチレン系モノマーを水性媒体中に徐々に添加していくのが好ましい。
【００２１】
スチレン系モノマーの重合には、油溶性のラジカル重合開始剤を使用できる。この重合開始剤としては、スチレン系モノマーの重合に汎用されている重合開始剤を使用できる。例えば、ベンゾイルパーオキサイド、ラウロイルパーオキサイド、ｔ−ブチルパーオキシオクトエート、ｔ−ヘキシルパーオキシオクトエート、ｔ−ブチルパーオキシベンゾエート、ｔ−アミルパーオキシベンゾエート、ｔ−ブチルパーオキシビバレート、ｔ−ブチルパーオキシイソプロピルカーボネート、ｔ−ヘキシルパーオキシイソプロピルカーボネート、ｔ−ブチルパーオキシ−３，３，５−トリメチルシクロヘキサノエート、ジ−ｔ−ブチルパーオキシヘキサハイドロテレフタレート、２，２−ジ−ｔ−ブチルパーオキシブタン、ジ−ｔ−ヘキシルパーオキサイド、ジクミルパーオキサイド等の有機過酸化物、アゾビスイソブチロニトリル、アゾビスジメチルバレロニトリル等のアゾ化合物が挙げられる。なお、これら油溶性のラジカル重合開始剤は、単独で用いられても併用されてもよい。
【００２２】
重合開始剤を重合容器内の水性媒体に添加する方法としては、種々の方法が挙げられる。例えば、
（ａ）重合容器とは別の容器内でスチレン系モノマーに重合開始剤を溶解して含有させ、このスチレン系モノマーを重合容器内に供給する方法、
（ｂ）重合開始剤をスチレン系モノマーの一部、イソパラフィン等の溶剤又は可塑剤に溶解させて溶液を作製する。この溶液と、所定量のスチレン系モノマーとを重合容器内に同時に供給する方法、
（ｃ）重合開始剤を水性媒体に分散させた分散液を作製する。この分散液とスチレン系モノマーとを重合容器内に供給する方法
等が挙げられる。
上記重合開始剤の使用割合は、通常スチレン系モノマーの使用総量の０．０２〜２．０重量％であることが好ましい。
【００２３】
水性媒体中には、水溶性のラジカル重合禁止剤を溶解させておくことが好ましい。水溶性のラジカル重合禁止剤はポリオレフィン系樹脂粒子表面におけるスチレン系モノマーの重合を抑制できる。加えてこの禁止剤は、水性媒体中に浮遊するスチレン系モノマーが単独で重合するのを防止して、ポリスチレン系樹脂の微粒子の生成を減らすことができる。
【００２４】
水溶性のラジカル重合禁止剤としては、水１００ｇに対して１ｇ以上溶解する重合禁止剤が使用できる。例えば、チオシアン酸アンモニウム、チオシアン酸亜鉛、チオシアン酸ナトリウム、チオシアン酸カリウム、チオシアン酸アルミニウム等のチオシアン酸塩、亜硝酸ナトリウム、亜硝酸カリウム、亜硝酸アンモニウム、亜硝酸カルシウム、亜硝酸銀、亜硝酸ストロンチウム、亜硝酸セシウム、亜硝酸バリウム、亜硝酸マグネシウム、亜硝酸リチウム、亜硝酸ジシクロヘキシルアンモニウム等の亜硝酸塩、メルカプトエタノール、モノチオプロピレングリコール、チオグリセロール、チオグリコール酸、チオヒドロアクリル酸、チオ乳酸、チオリンゴ酸、チオエタノールアミン、１，２−ジチオグリセロール、１，３−ジチオグリセロール等の水溶性イオウ含有有機化合物、さらにアスコルビン酸、アスコルビン酸ナトリウム等を挙げることができる。これらの中でも特に亜硝酸塩が好ましい。
上記水溶性のラジカル重合禁止剤の使用量としては、水性媒体の水１００重量部に対して０．００１〜０．０４重量部が好ましい。
【００２５】
なお、上記水性媒体中に分散剤を添加しておくことが好ましい。このような分散剤としては、例えば、部分ケン化ポリビニルアルコール、ポリアクリル酸塩、ポリビニルピロリドン、カルボキシメチルセルロース、メチルセルロース等の有機系分散剤、ピロリン酸マグネシウム、ピロリン酸カルシウム、リン酸カルシウム、炭酸カルシウム、リン酸マグネシウム、炭酸マグネシウム、酸化マグネシウム等の無機系分散剤が挙げられる。この内、無機系分散剤が好ましい。
無機系分散剤を用いる場合には、界面活性剤を併用することが好ましい。このような界面活性剤としては、例えば、ドデシルベンゼンスルホン酸ナトリウム、α−オレフィンスルホン酸ナトリウム等が挙げられる。
【００２６】
重合容器の形状及び構造としては、従来からスチレン系モノマーの懸濁重合に用いられているものであれば、特に限定されない。
また、攪拌翼の形状についても特に限定はなく、具体的には、Ｖ型パドル翼、ファードラー翼、傾斜パドル翼、平パドル翼、プルマージン翼等のパドル翼、タービン翼、ファンタービン翼等のタービン翼、マリンプロペラ翼のようなプロペラ翼等が挙げられる。これら攪拌翼の内では、パドル翼が好ましい。攪拌翼は、単段翼であっても多段翼であってもよい。重合容器に邪魔板（バッフル）を設けてもよい。
【００２７】
また、スチレン系モノマーをマイクロペレット中にて重合させる際の水性媒体の温度は、特に限定されないが、使用するポリオレフィン系樹脂の融点の−３０〜＋２０℃の範囲であることが好ましい。より具体的には、７０〜１４０℃が好ましく、８０〜１３０℃がより好ましい。更に、水性媒体の温度は、スチレン系モノマーの重合開始から終了までの間、一定温度であってもよいし、段階的に上昇させてもよい。水性媒体の温度を上昇させる場合には、０．１〜２℃／分の昇温速度で上昇させることが好ましい。
更に、架橋したポリオレフィン系樹脂からなる粒子を使用する場合、架橋は、スチレン系モノマーを含浸させる前に予め行なっておいてもよいし、マイクロペレット中にスチレン系モノマーを含浸、重合させている間に行なってもよいし、マイクロペレット中にスチレン系モノマーを含浸、重合させた後に行なってもよい。
【００２８】
ポリオレフィン系樹脂の架橋に用いられる架橋剤としては、例えば、２，２−ジ−ｔ−ブチルパーオキシブタン、ジクミルパーオキサイド、２，５−ジメチル−２，５−ジ−ｔ−ブチルパーオキシヘキサン等の有機過酸化物が挙げられる。なお、架橋剤は、単独でも二種以上併用してもよい。また、架橋剤の使用量は、通常、ポリオレフィン系樹脂粒子（マイクロペレット）１００重量部に対して０．０５〜１．０重量部が好ましい。
【００２９】
架橋剤を添加する方法としては、例えば、架橋剤をポリオレフィン系樹脂に直接添加する方法、溶剤、可塑剤又はスチレン系モノマーに架橋剤を溶解させた上で添加する方法、架橋剤を水に分散させた上で添加する方法等が挙げられる。この内、スチレン系モノマーに架橋剤を溶解させた上で添加する方法が好ましい。
【００３０】
上記ポリスチレン系樹脂粒子に、第１の帯電防止剤の存在下で、揮発性発泡剤（単に、発泡剤ともいう）を含浸させることで発泡性樹脂粒子を得ることができる。発泡剤の含浸は、それ自体公知の方法により行うことができる。例えば、Ｖ型、Ｃ型あるいはＤＣ型等の回転混合機であって、密閉耐圧の容器にポリスチレン系樹脂粒子を入れて流動させ、発泡剤と第１の帯電防止剤を導入することで発泡剤を含浸させる方法、また、攪拌機付密閉耐圧容器内でポリスチレン系樹脂粒子を水性媒体に懸濁させ、発泡剤と第１の帯電防止剤を導入し、発泡剤を含浸させる方法、スチレン系モノマーの重合反応を行った密閉系の容器中に、発泡剤及び帯電防止剤を圧入し発泡剤を含浸させる方法等が挙げられる。
【００３１】
発泡剤の含浸は、３０〜８０℃の雰囲気下及び０．０５〜０．１２ＭＰａの圧力下で０．５〜６時間行うことが好ましい。第１の帯電防止剤の接触は、２０〜８０℃の雰囲気下及び０．０１〜０．１２ＭＰａの圧力下で発泡剤と同様０．５〜６時間行うことが好ましい。これら温度、圧力及び時間の範囲外では、十分に発泡剤及び帯電防止剤を樹脂に含有させることができないことがあり、目的の嵩倍数に発泡できないことや、帯電防止性の不足が生じることがある。なお、ここでの圧力は、大気圧を基準とする圧力を意味している。
【００３２】
ポリスチレン系樹脂粒子の平均粒子径は、８００〜２４００μｍであることが好ましい。８００μｍを下回る平均粒子径の複合樹脂粒子は、発泡剤の保持性が低下してビーズライフが短くなる傾向がある。２４００μｍを越えると、複雑な形状をした発泡成形体を成形する際、金型への充填性が悪くなる傾向がある。好ましい平均粒子径は、１２００〜２０００μｍである。
【００３３】
揮発性発泡剤としては、公知の種々の発泡剤が使用できる。例えば、プロパン、ｎ−ブタン、イソブタン、ｎ−ペンタン、イソペンタン、工業用ペンタン、石油エーテル、シクロヘキサン、シクロペンタン等の単独又は混合物が挙げられる。これら内、プロパン、ｎ−ブタン、イソブタン、ｎ−ペンタン、イソペンタン及びシクロペンタンが好ましい。
【００３４】
発泡剤の含有率としては、発泡性樹脂粒子に対して、６〜１２重量％であることが好ましい。発泡剤の含有率が６重量％未満であると、発泡性樹脂粒子の発泡性が低下することがある。発泡性が低下すると、嵩倍数の高い低嵩密度の予備発泡粒子が得られ難くなると共に、この予備発泡粒子を型内成形して得られる発泡成形体は融着率が低下し、耐割れ性が低下することがある。一方、１２重量％を超えると、予備発泡粒子中の気泡サイズが過大となり易く、成形性の低下や、得られる発泡成形体の圧縮、曲げ等の強度特性の低下が発生することがある。より好ましい発泡剤の含有率は、７．５〜１１重量％の範囲である。
【００３５】
発泡剤含浸時の第１の帯電防止剤としては、特に限定されず、公知の帯電防止剤をいずれも使用できる。例えば、帯電防止性を有する界面活性剤が挙げられる。具体的な界面活性剤としては、アルキルモノエタノールアミン、アルキルポリエーテルアミン、ポリエチレングリコール脂肪酸エステル、アルキルジエタノールアミド、アルキルジエタノールアミン、ポリアルキレングリコール誘導体等の非イオン系界面活性剤、アルキルスルホン酸塩、アルキルベンゼンスルホン酸塩、アルキルホスフェート等のアニオン系界面活性剤、脂肪族アルキル第４級アンモニウム塩、トリアルキルベンジルアンモニウム塩等のカチオン系界面活性剤、アルキルベタイン、アルキルイミダゾリウムベタイン等の両性界面活性剤等を挙げることができる。なお、界面活性剤の種類により異なるが、全炭素数が５〜２０個の範囲の界面活性剤を帯電防止剤として使用することが好ましい。これらの界面活性剤は２種以上を用いてもよい。
【００３６】
第１の帯電防止剤は、ポリスチレン系樹脂粒子に対して所定の重量部を含む溶液状又は液状でポリスチレン系樹脂粒子に含浸させることができる。溶液状とは、固体又は液体の帯電防止剤を水性媒体又は有機溶剤中に溶解又は分散させた状態を意味し、液状とは、帯電防止剤自身が液体であることを意味する。
【００３７】
この中でも、非イオン性界面活性剤が好ましく、更に、アルキルモノ又はジエタノールアミン、アルキルポリエーテルアミンが、帯電防止性が良好である観点から好ましい。ここで、アルキルは炭素数８〜１８が好ましい。特に、１０〜３０℃の温度で液状である帯電防止剤は、水性媒体又は有機溶媒中に溶解させなくても、短時間で発泡性樹脂粒子に帯電防止剤を含浸できるという点で好ましい。このような帯電防止剤として、アルキルモノ又はジエタノールアミン（アルキルは炭素数８〜１８が好ましい）、ポリオキシエチレンアルキルアミン（アルキルは炭素数８〜１８が好ましい。例えば、ポリオキシエチレンラウリルアミン）が挙げられる。ポリオキシエチレンアルキルアミン中、ポリオキシエチレンは、２〜１０個の範囲のオキシエチレン単位を有することが好ましい。
【００３８】
第１の帯電防止剤の使用量は、ポリスチレン系樹脂粒子１００重量部に対して、０．１〜２．０重量部であり、好ましくは０．１５〜１．５重量部である。０．１重量部未満の場合、発泡成形体に所望の帯電防止性を付与できないことがある。また、２．０重量部を超えると、発泡性複合樹脂粒子と水性媒体のスラリーを輸送する際に泡立ちが発生する等の生産性の悪化や、過剰の界面活性剤により、発泡性複合樹脂粒子がベトツキ、予備発泡時の取り扱いが困難となることがある。
【００３９】
揮発性発泡剤の含浸を水性媒体に懸濁させ行う場合は、一般的に粒子同士の合着を防ぐため、発泡剤を均一に吸収させるためなどの理由から、水溶性の界面活性剤を同時に添加することがある。ところで、本発明では帯電防止剤としての役割を果たすことを目的として、界面活性剤を使用しているが、本来の役割を果たすことを目的として界面活性剤を使用してもよい。即ち、第１の帯電防止剤を効率よく樹脂と接触させるためにアニオン系界面活性剤を使用できる。アニオン系界面活性剤としては、アルキルスルホン酸塩、アルキルベンゼンスルホン酸塩、アルキルホスフェート等の公知のものを使用できる。アニオン系界面活性剤の添加量としては、水性媒体１００重量部に対して、０．０１〜０．１重量部が好ましく、より好ましくは０．０２〜０．０８重量部である。０．０１重量部より少ない場合、十分な性能を付与し難いことがある。０．１重量部より多い場合、発泡性樹脂粒子と水性媒体のスラリー輸送時に泡立ちが激しくなることがある。
【００４０】
（２）次に、揮発性発泡剤を含浸させて得られた発泡性樹脂粒子に、消泡剤の存在下で、特定量の第２の帯電防止剤を接触させた後、予備発泡させて予備発泡粒子を得る。
第２の帯電防止剤としては、特に限定されず、公知の界面活性剤を帯電防止剤としていずれも使用できる。具体的な界面活性剤としては、アルキルモノエタノールアミン、アルキルポリエーテルアミン、ポリエチレングリコール脂肪酸エステル、アルキルジエタノールアミド、アルキルジエタノールアミン、ポリアルキレングリコール誘導体等の非イオン系界面活性剤、アルキルスルホン酸塩、アルキルベンゼンスルホン酸塩、アルキルホスフェート等のアニオン系界面活性剤、脂肪族アルキル第４級アンモニウム塩、トリアルキルベンジルアンモニウム塩等のカチオン系界面活性剤、アルキルベタイン、アルキルイミダゾリウムベタイン等の両性界面活性剤等を挙げることができる。なお、界面活性剤の種類により異なるが、全炭素数が５〜２０個の範囲の界面活性剤を帯電防止剤として使用することが好ましい。これらの界面活性剤は２種以上を用いてもよい。
【００４１】
本発明では、第２の帯電防止剤種が限定されず、従来泡立ちにより使用が困難であったものも使用できることを特徴の１つとしている。従って、例えば、脂肪族アルキル第４級アンモニウム塩、トリアルキルベンジルアンモニウム塩等のカチオン系界面活性剤は、帯電防止性が優れているが、泡立つため使用することが困難であったが、本発明ではカチオン系界面活性剤も使用できる。
第２の帯電防止剤は、発泡性樹脂粒子に対して所定の重量部を含む溶液状又は液状で発泡性樹脂粒子と接触させることができる。溶液状とは、固体又は液体の帯電防止剤を水性媒体又は有機溶剤中に溶解又は分散させた状態を意味し、液状とは、帯電防止剤自身が液体であることを意味する。
【００４２】
第２の帯電防止剤の使用量は、発泡性樹脂粒子１００重量部に対して、０．１〜２．０重量部であり、好ましくは０．２〜１．５重量部である。０．１重量部未満の場合、発泡成形体に所望の帯電防止性を付与できないことがある。また、２．０重量部を超えると発泡性樹脂粒子及び予備発泡粒子がべとつくため、取り扱いが困難となることがある。更に、予備発泡粒子の成形金型への充填が困難となり、また得られる発泡成形体がべとつき、かえって埃が付着し易くなることがある。
【００４３】
ここで、発泡剤含浸時の第１の帯電防止剤の使用量と予備発泡時の第２の帯電防止剤の使用量は、重量比で、１：０．１〜１０であることが好ましい。予備発泡時の第２の帯電防止剤の使用量が重量比で０．１より少ない場合、所望の帯電防止性能が得られないことがある。１０より多い場合、予備発泡粒子がべとつくこと及びコスト高となることがある。
【００４４】
更に、発泡剤含浸時の第１の帯電防止剤と予備発泡時の第２の帯電防止剤の合計量は、スチレン系樹脂粒子１００重量部に対して、０．３５〜３．０重量部の範囲であることが好ましい。合計量が０．３５重量部より少ない場合、所望の帯電防止性能が得られないことがある。３．０重量部より多い場合、予備発泡粒子がべとつくこと及びコスト高となることがある。より好ましい合計量は、０．５〜２．５重量部である。
第２の帯電防止剤と発泡性樹脂粒子との接触は、３０〜９０℃の雰囲気温度下で、５〜９０秒間行うことが好ましい。これら温度及び時間の範囲外では、帯電防止性の不足や、生産性の低下、発泡性複合樹脂粒子等のべとつきが生じることがある。なお、帯電防止剤の接触は、必要に応じて加圧下で行ってもよい。
【００４５】
なお、発泡性樹脂粒子と第２の帯電防止剤との接触は、予備発泡に使用される容器中で、溶液状又は液状の帯電防止剤を発泡性樹脂粒子に接触させる方法で行われる。接触させる方法としては、溶液状又は液状の帯電防止剤を噴霧するか、予備発泡機上部から添加することで行うことが好ましい。噴霧する場合、容器に対する噴霧位置は、特に限定されない。但し、発泡性樹脂粒子にできるだけ近い位置であることが、容器や攪拌羽根に帯電防止剤が付着することを防止でき、効率よく帯電防止剤を発泡性樹脂粒子と接触させることができるので好ましい。ここで、近い位置は、発泡性樹脂粒子の上面から８０ｃｍ以下の位置であることがより好ましい。
【００４６】
消泡剤は、第２の帯電防止剤による泡立ちを防止できさえすれば特に限定されない。一般的に消泡剤と呼ばれるものは、公知のものとして、メタノール、エタノール等の低級アルコール系消泡剤、アミルアルコール、金属石鹸、非水溶性の非イオン系界面活性剤等の有機極性化合物系消泡剤、鉱物油等を使用した鉱物油系消泡剤、シリコーン樹脂、シリコーン樹脂と界面活性剤の配合品等のシリコーン系消泡剤等が挙げられる。公知の消泡剤の範囲で好ましいのは、有機極性化合物系消泡剤であり、更に好ましいのは良好な帯電防止性能を損なわずに使用でき、消泡効果が持続するという観点から、非水溶性であるか又はＨＬＢ値が９以下の非イオン系界面活性剤である。
【００４７】
そのような非イオン系界面活性剤としては、例えば、ポリオキシエチレングリコール、ポリオキシプロピレングリコール、ポリオキシエチレン・ポリオキシプロピレングリコール等のポリオキシアルキレングリコール、ポリオキシアルキレンラウリルエーテル、ポリオキシエチレンオレイルセチルエーテル、ポリオキシエチレンラウリルエーテル等のポリオキシアルキレンアルキルエーテル、ソルビタンオレイン酸モノエステル等のソルビタン脂肪酸エステル等が挙げられる。
【００４８】
消泡剤は、第２の帯電防止剤との重量比で、１：０．０４〜１．５０（第２の帯電防止剤：消泡剤）となるように使用することが好ましい。消泡剤の使用量が１：０．０４より少ないと、消泡効果が不十分となり予備発泡粒子を得難くなることがある。１：１．５０より多いと、良好な帯電防止性能が得難くなることがある。より好ましい重量比は、１：０．０５〜１．２５であり、更に好ましい重量比は、１：０．０５〜１．２０である。
【００４９】
予備発泡粒子は、消泡剤の存在下で、発泡性樹脂粒子を、第２の帯電防止剤と接触させた後、必要に応じて、水蒸気等の加熱媒体を用いて加熱して所定の嵩密度に予備発泡させることで得ることができる。
予備発泡粒子は、嵩倍数５〜６０倍（嵩密度０．０１６〜０．２ｇ／ｃｍ3）を有していることが好ましい。より好ましい嵩倍数は１０〜５５倍である。嵩倍数が６０倍より大きいと、発泡粒子の独立気泡率が低下して、予備発泡粒子を発泡させて得られる発泡成形体の強度が低下することがある。一方、５倍より小さいと、予備発泡粒子を発泡させて得られる発泡成形体の重量が増加することがある。
消泡剤は、第２の帯電防止剤に混合して使用してもよく、予め発泡性樹脂粒子と混合していてもよい。この内、前者が簡便である。
【００５０】
（３）発泡成形体の製造方法
上記予備発泡粒子を成形機の型内に充填し、加熱して二次発泡させ、予備発泡粒子同士を融着一体化させることによって所望形状を有する発泡成形体を得ることができる。上記成形機としては、当該技術分野で用いられるＥＰＳ成形機等を用いることができる。
得られた発泡成形体は、良好な帯電防止性を有する。そのため、発泡成形体は、家電製品等の緩衝材（クッション材）、電子部品、各種工業資材、食品等の搬送容器（梱包材）等の用途に使用できる。また、車輛用バンパーの芯材、ドア内装緩衝材等の衝撃エネルギー吸収材としても使用できる。
【実施例】
【００５１】
以下実施例を挙げて更に説明するが、本発明はこれら実施例によって限定されるものではない。
＜予備発泡粒子の嵩倍数＞
約５ｇの予備発泡粒子の重量（ａ）を小数以下２位で秤量する。次に、最小メモリ単位が５ｃｍ3である５００ｃｍ3メスシリンダーに秤量した予備発泡粒子を入れる。これにメスシリンダーの口径よりやや小さい円形の樹脂板であって、その中心に巾約１．５ｃｍ、長さ約３０ｃｍの棒状の樹脂板が直立して固定された押圧具をあてて、予備発泡粒子の体積（ｂ）を読み取る。式（ａ）／（ｂ）により予備発泡粒子の嵩密度（ｇ／ｃｍ3）を求める。嵩倍数は嵩密度の逆数、すなわち式（ｂ）／（ａ）とする。【００５２】
＜発泡成形体の倍数＞
発泡成形体（成形後、４０℃で２０時間以上乾燥させたもの）から切り出した試験片（例７５×３００×３５ｍｍ）の重量（ａ）と体積（ｂ）をそれぞれ有効数字３桁以上になるように測定する。式（ａ）／（ｂ）により発泡成形体の密度（ｇ／ｃｍ3）を求める。倍数は密度の逆数、すなわち式（ｂ）／（ａ）とする。【００５３】
＜平均表面抵抗率＞
ＪＩＳ  Ｋ６９１１：１９９５「熱硬化性プラスチック一般試験方法」に記載の方法により測定する。即ち、試験装置（アドバンテスト社製デジタル超高抵抗／微小電流計Ｒ８３４０及びレジスティビティ・チェンバＲ１２７０２Ａ）を使用し、試料サンプルに、約３０Ｎの荷重で電極を圧着させ、５００Ｖ１分間充電後の抵抗値を測定する。測定値から次式より表面抵抗率を算出する。
ρｓ＝π（Ｄ＋ｄ）／（Ｄ−ｄ）×Ｒｓ
ρｓ：表面抵抗率（ＭΩ）
Ｄ：表面の環状電極の内径（ｃｍ）
ｄ：表面電極の内円の外形（ｃｍ）
Ｒｓ：表面抵抗（ＭΩ）
試料サンプルは、１００ｍｍ×１００ｍｍ×厚さ１０ｍｍ以下の大きさを有し、同一の発泡成形体から１０個切り出す。切り出された１０個の試料サンプルを、２０℃、湿度６５％の環境下に２４時間程度保存した後、１０個の試料サンプルの抵抗値を測定する。平均表面抵抗率は、１０個の表面抵抗率の平均値である。
【００５４】
＜標準偏差＞
１０個の表面抵抗率をそれぞれ対数（ｌｏｇ10）で返し、得られた対数を用いて標準偏差を得る。
＜帯電防止性の評価＞
平均表面抵抗率が１０11未満かつ標準偏差が１．０以下の場合、その発泡成形体は優れた帯電防止性を有する良品（○）であると評価する。【００５５】
＜持続的な帯電防止性の評価＞
得られた発泡成形体表面を純水にて直径１ｃｍの蛇口より毎秒１００ｍｌの水量で１分間水洗し、その後、発泡成形体表面の付着水分をタオルペーパーで除去する。この後、１００ｍｍ×１００ｍｍ×厚さ１０ｍｍ以下の大きさを有する試料サンプルを、同一発泡成形体から１０個切り出す。切り出された１０個の試料サンプルを、温度２０℃、湿度６５％の環境下にて２４時間以上保存した後に表面抵抗率測定を行い、平均表面抵抗率を求める。【００５６】
実施例１
（樹脂粒子の製造）
エチレン−酢酸ビニル共重合体樹脂粒子（日本ポリエチレン社製ＬＶ−２１１、メルトフローレート０．３ｇ／１０分、酢酸ビニル含量６．２重量％）１００重量部に、気泡調整剤としての珪酸カルシウム０．３重量部とステアリン酸カルシウム０．１重量部とを加えて、押出機にて均一に混練し、水中カット方式により造粒ペレットを得た（エチレン−酢酸ビニル共重合体樹脂粒子は１００粒あたり８０ｍｇに調整した）。
内容積１００リットルの攪拌機付き耐圧容器に、上記ペレット４０重量部、純水１２０重量部、ピロリン酸マグネシウム０．４５重量部、ドデシルベンゼンスルホン酸ソーダ０．０２重量部を加え、攪拌して純水中に懸濁させた。
次いで、この懸濁液に、ラジカル重合開始剤としてジクミルパーオキサイド０．０３重量部を２０重量部のスチレンモノマーに溶解させた混合液を３０分かけて滴下した。滴下後３０分間保持した後、反応系の温度を１３５℃まで上昇させ、２時間保持した後、常温まで冷却した。【００５７】
更に、この懸濁液に、ドデシルベンゼンスルホン酸ソーダ０．１６重量部を加えた後、反応系の温度を９０℃まで昇温し、ラジカル重合開始剤として、ベンゾイルパーオキサイド０．３重量部及びｔ−ブチルパーオキシベンゾエート０．０２重量部、ジクミルパーオキサイド０．８重量部を４０重量部のスチレンモノマーに溶解させた混合液を２時間かけて滴下し、スチレンモノマーを吸収させながら重合を行った。その後、９０℃で３時間保持した後、１３５℃に昇温させ、その温度で３時間保持して重合を完結させた。上記一連の重合を完結させた後、常温まで冷却し、複合樹脂粒子を得た。【００５８】
（発泡性樹脂粒子の製造）
内容積１００リットルの攪拌機付き耐圧容器に、樹脂粒子１００重量部、第１の帯電防止剤として、非水溶性のアルキルモノエタノールアミン（日油社製ナイミーンＬ−２０１：Ｎ−ヒドロキシエチルラウリルアミン）０．３重量部及びドデシルベンゼンスルホン酸ナトリウム０．０４重量部、水１００重量部とを投入し、密閉し攪拌しながら６０℃まで昇温した。６０℃の昇温を確認後、発泡剤としてイソペンタンを１３重量部添加し、６０℃で３時間半保持した後、２５℃まで冷却して発泡性樹脂粒子を取り出した。【００５９】
（予備発泡粒子の製造）
上記発泡性樹脂粒子１００重量部をバッチ式発泡機（積水工機製作所社製ＳＫＫ−７０）に投入し、第２の帯電防止剤としての脂肪族第４級アンモニウム塩（第一工業製薬社製カチオーゲンＥＳ−ＯＷ：脂肪族基の炭素数は約６〜１０）０．３６重量部と、消泡剤としてのポリオキシエチレン・ポリオキシプロピレングリコール（第一工業製薬社製エパン７１０）０．０４重量部とからなる混合液を攪拌下に添加した。３０秒保持した後、ゲージ圧約０．０５ＭＰａの設定でスチームを導入しつつ、加熱を開始し、嵩倍数約４０倍の予備発泡粒子を得た。第２の帯電防止剤及び消泡剤からなる混合液の添加位置は、バッチ式発泡機の上面（投入した発泡性樹脂粒子の上面の約８０ｃｍ上部）とした。ゲージ圧は、大気圧を基準とする圧力を意味する。【００６０】
（発泡成形体の製造）
得られた予備発泡粒子を、４００ｍｍ（長さ）×３００ｍｍ（幅）×３０ｍｍ（厚さ）の大きさの成形用金型内に入れた。この金型に、ゲージ圧０．０６ＭＰａの水蒸気を２５秒間導入して加熱し、１２０秒間冷却することで、倍数約４０倍の発泡成形体を取り出した。得られた発泡成形体を４０℃の乾燥室で、８時間程度乾燥させた。
得られた発泡成形体の平均表面抵抗率を求め、得られた結果を帯電性の評価と共に表１に示す。【００６１】
実施例２
揮発性発泡剤の含浸工程において、第１の帯電防止剤としてのドデシルベンゼンスルホン酸ナトリウムの添加量を０．０６重量部とすること以外は実施例１と同様に発泡成形体を得た。
得られた発泡成形体の平均表面抵抗率を求め、得られた結果を帯電性の評価と共に表１に示す。【００６２】
実施例３
揮発性発泡剤の含浸工程において、第１の帯電防止剤としてのアルキルモノエタノールアミンの添加量を０．６重量部とし、ドデシルベンゼンスルホン酸ナトリウムの添加量を０．０２重量部とすること以外は実施例１と同様に発泡成形体を得た。
得られた発泡成形体の平均表面抵抗率を求め、得られた結果を帯電性の評価と共に表１に示す。【００６３】
実施例４
揮発性発泡剤の含浸工程において、第１の帯電防止剤としてのドデシルベンゼンスルホン酸ナトリウムの添加量を０．０２重量部とすること以外は実施例１と同様に発泡成形体を得た。
得られた発泡成形体の平均表面抵抗率を求め、得られた結果を帯電性の評価と共に表１に示す。【００６４】
実施例５
予備発泡工程において、第２の帯電防止剤としての脂肪族第４級アンモニウム塩の添加量を０．３８重量部、消泡剤としてのポリオキシエチレン・ポリオキシプロピレングリコールの添加量を０．０２重量部とすること以外は実施例１と同様に発泡成形体を得た。
得られた発泡成形体の平均表面抵抗率を求め、得られた結果を帯電性の評価と共に表１に示す。【００６５】
実施例６
予備発泡工程において、第２の帯電防止剤としての脂肪族第４級アンモニウム塩の添加量を１．２４重量部、消泡剤としてのポリオキシエチレン・ポリオキシプロピレングリコールの添加量を０．１６重量部とすること以外は実施例１と同様に発泡成形体を得た。
得られた発泡成形体の平均表面抵抗率を求め、得られた結果を帯電性の評価と共に表１に示す。【００６６】
実施例７
予備発泡工程において、消泡剤をポリオキシアルキレンアルキルエーテル（第一工業製薬社製ＤＫＳ  ＮＬ−Ｄａｓｈ４００）とすること以外は実施例１と同様に発泡成形体を得た。
得られた発泡成形体の平均表面抵抗率を求め、得られた結果を帯電性の評価と共に表１に示す。【００６７】
実施例８
揮発性発泡剤の含浸工程において、第１の帯電防止剤としてポリオキシエチレンアルキルアミン（日油社製エレガンＳ−１００）を用いること以外は実施例１と同様に発泡成形体を得た。
得られた発泡成形体の平均表面抵抗率を求め、得られた結果を帯電性の評価と共に表１に示す。【００６８】
実施例９
予備発泡工程において、第２の帯電防止剤として脂肪族第４級アンモニウム塩の添加量を０．２７重量部、消泡剤としてのポリオキシエチレン・ポリオキシプロピレングリコールの添加量を０．１３重量部とすること以外は実施例１と同様に発泡成形体を得た。
得られた発泡成形体の平均表面抵抗率を求め、得られた結果を帯電性の評価と共に表１に示す。【００６９】
実施例１０
予備発泡工程において、第２の帯電防止剤として脂肪族第４級アンモニウム塩の添加量を０．２０重量部、消泡剤としてのポリオキシエチレン・ポリオキシプロピレングリコールの添加量を０．２０重量部とすること以外は実施例１と同様に発泡成形体を得た。
得られた発泡成形体の平均表面抵抗率を求め、得られた結果を帯電性の評価と共に表１に示す。【００７０】
比較例１
予備発泡工程において、第２の帯電防止剤としての脂肪族第４級アンモニウム塩の添加量を０．３９９重量部、消泡剤としてのポリオキシエチレン・ポリオキシプロピレングリコールの添加量を０．００１重量部とすること以外は実施例１と同様に発泡成形体を得ようとしたが、泡立ちが激しく予備発泡できなかった。
比較例２
予備発泡工程において、消泡剤をシリコーン液体（信越化学工業社製ＫＳ−５１２）とすること以外は実施例１と同様に発泡成形体を得ようとしたが、シリコーン液体を第２の帯電防止剤の溶液に混合することができないため、予備発泡できなかった。【００７１】
比較例３
予備発泡工程において、消泡剤をシリコーンエマルジョン溶液（信越化学工業社製ＫＭ−７３）とすること以外は実施例１と同様に発泡成形体を得た。
得られた発泡成形体の平均表面抵抗率を求め、得られた結果を帯電性の評価と共に表２に示す。
比較例４
予備発泡工程において、消泡剤を使用せず、第２の帯電防止剤としてポリオキシエチレンアルキルアミン（日油社製エレガンＳ−１００：オキシエチレン単位の繰り返し数約１〜４：アルキルの炭素数は約１０〜１４）を０．６重量部使用すること以外は実施例１と同様に発泡成形体を得た。
得られた発泡成形体の平均表面抵抗率を求め、得られた結果を帯電性の評価と共に表２に示す。
【００７２】
【表１】
0005548621.tif 000002
【００７３】
【表２】
0005548621.tif 000003
【００７４】
実施例及び比較例１から、消泡剤と第２の帯電防止剤の比率が特定の範囲であれば、良好な帯電防止性を有する発泡成形体が得られることが分かる。
実施例及び比較例２〜４から、特定の種類の消泡剤を使用することで、良好な帯電防止性を有する発泡成形体が得られることが分かる。
更に、実施例では、水洗後も帯電防止性が持続していることが分かる。